(57)【要約】【課題】上向き筆記や衝撃等により、内部に空気が入っても、衝撃カスレ等のカスレが最小限に抑えられ、且つ速やかに通常筆記に復帰可能となるうえ、製造コストが抑制されるようになるボールペンチップの提供。【解決手段】ボールペンチップ３に内蔵される筆記ボール２と逆止ボール７とを、若干の隙間をおいて近接配置し、その内部空間の容積を僅かなものとする。これにより、空気がカシメ部２１から内部に進入しても、内部に溜まる空気の体積は僅かなので、空気溜まりの解消が迅速に行える。また、筆記ボール２及び逆止ボール７の両方がボールペンチップ３の先端側に設置可能となり、組立の際に、ボールペンチップ３を引っ繰り返す必要がなく、組立作業が容易となる。【選択図】　　図２
2004136621.tif 000002
【特許請求の範囲】
【請求項１】
筆記ボールと逆止ボールとを備えたボールペンチップであって、
前記筆記ボールと前記逆止ボールとは、若干の隙間をおいて近接配置されていることを特徴とするボールペンチップ。
【請求項２】
前記逆止ボールは、前記筆記ボールよりも小径であることを特徴とする請求項１記載のボールペンチップ。
【請求項３】
前記逆止ボールの縦ガタは、前記筆記ボールの縦ガタよりも大きいことを特徴とする請求項１又は２記載のボールペンチップ。
【請求項４】
前記逆止ボールの横ガタは、前記筆記ボールの横ガタよりも大きいことを特徴とする請求項１から３までのいずれかに記載のボールペンチップ。
【請求項５】
インクを前記筆記ボールに誘導するためのインク誘導孔と、このインク誘導孔の内周面を切削することにより形成されたチャンネルと、前記チャンネルを切削した際に生じたチャンネルバリを削除した後の痕跡である凸部及び凹部とが形成され、前記凸部が前記逆止ボールの表面に接触することにより、前記逆止ボールの表面と前記凹部との間にインク溜まりとなる空間が設けられていることを特徴とする請求項１から４までのいずれかに記載のボールペンチップ。
【請求項６】
請求項１から５までのいずれかに記載のボールペンチップを備えたボールペンであって、
ゲルインクを収納しているインク収納管を備えていることを特徴とするボールペン。
【請求項７】
インクを誘導するためのインク誘導孔を切削する工程と、
前記インク誘導孔の内周面にチャンネルを切削する工程と、
前記チャンネルを切削した際に生じたチャンネルバリを除去する工程と、
前記インク誘導孔の内部に逆止ボール及び筆記ボールを入れる工程とを備えていることを特徴とするボールペンチップの製造方法。
【発明の詳細な説明】
【０００１】
【発明の属する技術分野】
本発明は、インクの逆流を防止できるボールペンチップ、このボールペンチップを利用したボールペン及びこのボールペンチップの製造方法に関する。
【０００２】
【従来の技術】
従来から、筆記具として、油性ボールペンやゲルインクボールペン等のボールペンが広く利用されている。このようなボールペンとしては、その先端側に筆記用のボールを内蔵したボールペンチップを設け、このボールペンチップの後方にインクを収納したインク収納部を設ける構造を採用したものが一般的である。
また、一般的なボールペンチップには、筆記ボールがボールペンチップから抜けないように、その先端部分を内側にすぼませたカシメ部が設けられている。このようなボールペンチップのカシメ部と筆記ボールとの間には、インクが自在に流通するように、所定の隙間が形成されている。そして、この隙間には、インクだけでなく空気も流通可能となっている。
このため、ペン先を上に向けて書くと、筆記ボールとカシメ部との間から空気が進入することがあり、空気の進入をそのまま放置すると、インクが逆流してインク収納部の後端から漏れてしまい、筆記不可能になってしまったり、漏れたインクで衣服が汚れてしまう等の不具合が発生する。
【０００３】
筆記用のインクとしてゲルインクを採用したゲルインクボールペンでは、ペン先の保護用キャップの着脱等により、その後端部分に軸方向の衝撃が加わることがある。この衝撃により、ボールペンチップ内のインクが微少な逆流を起こし、書き出し時に書けなかったり、描いている描線にかすれが生じてしまう、いわゆる、衝撃カスレが発生する。
【０００４】
また、一般的なボールペンでは、筆記ボールの直径が大きい程、筆記ボールとカシメ部との隙間の開口面積が大きくなるため、ペンを上に向けて筆記を行った際に、ボールペンチップの内部に空気が入りやすい。例えば、筆記ボールの直径が０．７ｍｍ以上となったボールペンでは、ペンを上に向けた筆記を行うと、ボールペンチップの内部に空気が進入して、インクが逆流する傾向が著しい。特に、ゲルインクボールペンでは、筆記ボールの直径が０．７ｍｍ以上になると、ボールペンチップの内部に空気が進入してインクが逆流しやすくなり、これにより、衝撃カスレ等の不具合の発生が顕著となる。
【０００５】
このような不具合を解消するために、インクの逆流を防止する逆止弁機構を備えたボールペンが利用されている。そして、逆止弁機構としては、次のような構造のものが知られている。
すなわち、ボールペンチップと、インクを収納したインク収納管とを連結するとともに、これらの間に介装される継手を設け、この継手の内部に、球状あるいは略円柱状に形成された弁体を収納する弁体収納室を設け、この弁体収納室内に弁体を移動可能に設置した逆止弁機構が知られている（例えば、特許文献１参照）。このような逆止弁機構によれば、ボールペンを上に向けると、弁体収納室の内面に開口されたインク流通孔を弁体が閉鎖するので、インクの逆流を防止することができる。
また、ボールペンチップの後端部分に、球状に形成された弁体を収納する弁体収納室を設け、この弁体収納室内に弁体を移動可能に収納した状態で、ボールペンチップの後端開口部分をかしめて、弁体の抜け止めを行った逆止弁機構が知られている（例えば、特許文献２参照）。このような構造の逆止弁機構でも、インクの逆流を防止することができる。
【０００６】
【特許文献１】
特開平１０−２３６０６３号公報
【特許文献２】
実開昭５７−４３７３号公報
【０００７】
【発明が解決しようとする課題】
前述のように、ボールペンチップとインク収容管との間、あるいは、ボールペンチップの後端近傍の部分に、逆止弁機構を設けたボールペンでは、ボールペンチップを長手方向に貫通するインク通路が、先端のカシメ部と逆止機構とを連通しているので、空気がカシメ部から内部に進入すると、インク通路に溜まる空気の体積は比較的大きいものとなる。
このため、インクの逆流を防止できたとしても、一旦、空気が内部に進入して、インク通路に空気が溜まると、インクが空気溜まりを満たすまでに時間がかかり、空気の進入により筆記が不可能となってから、再度、通常の筆記が可能となるまでの復帰時間が長くなってしまうという問題がある。
【０００８】
また、逆止弁機構が設けられた継手をボールペンチップとインク収容管との間に介装したボールペンでは、当該ボールペンを製造するにあたり、ボールペンチップの先端を上に向けた状態で、ボールペンチップの先端側に筆記ボールを取り付ける工程と、ボールペンチップを引っ繰り返して、ボールペンチップの後端側に逆止弁機構が設けられた継手を取り付ける工程とを別個に行う必要がある。このため、加工工程が増加するとともに複雑となるので、製造に要するコストが嵩むという問題がある。
一方、ボールペンチップの後端近傍の部分に逆止弁機構を組み込んだボールペンでは、ボールペンチップの先端側に筆記ボールを取り付ける工程と、ボールペンチップの後端側に逆止弁機構を組み付ける工程とを別個に行う必要があるので、前述の逆止弁機構となる部品を介装する構造のボールペンと同様に、加工工程が増加するとともに複雑となるので、製造コストが嵩むという問題がある。
【０００９】
各請求項にそれぞれ記載された各発明は、上記した問題点に鑑みてなされたものであり、その目的とするところは、上向き筆記や衝撃等により、内部に空気が入っても、衝撃カスレ等のカスレが最小限に抑えられ、且つ速やかに通常筆記に復帰可能となるうえ、製造コストが抑制されるようになるボールペンチップ、このボールペンチップを利用したボールペン及びこのボールペンチップの製造方法を提供するものである。
【００１０】
【課題を解決するための手段】
本発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
【００１１】
（第１発明）
（特徴点）
本発明の第１発明は、次の点を特徴とする。
すなわち、本第１発明は、筆記ボール（２）と逆止ボール（７）とを備えたボールペンチップ（３）であって、前記筆記ボール（２）と前記逆止ボール（７）とは、若干の隙間をおいて近接配置されていることを特徴とする。
【００１２】
（作用）
本発明によれば、筆記ボール（２）と逆止ボール（７）とが、若干の隙間をおいて近接配置されているので、筆記ボール（２）と逆止ボール（７）との間には、僅かな空間しか形成されず、空気がカシメ部（２１）から内部に進入しても、内部に溜まる空気の体積は僅かなものとなる。このため、上向き筆記や衝撃等により、内部に空気が入っても、僅かな体積の空気溜まりは速やかに解消されるので、筆記が再開されるまでの復帰時間が短く、速やかに通常の筆記が行えるようになる。
【００１３】
また、筆記ボール（２）及び逆止ボール（７）の両方がボールペンチップ（３）の先端側に設けられるので、当該ボールペンを製造するにあたり、逆止ボール（７）を取り付けて逆止弁機構を形成する作業と、筆記ボール（２）を取り付ける作業とを、速やかに連続する一連の作業として行え、且つ、これらの作業を行う際に、ボールペンチップ（３）を引っ繰り返す必要がない。このため、逆止弁機構を設けても、加工工程が増加せず、単純な作業工程で製造が行え、逆止弁機構を備えたボールペンの製造コストが低減されるようになる。
【００１４】
（第２発明）
（特徴点）
本発明の第２発明は、前記第１発明の特徴点に加え、次の点を特徴とする。
すなわち、第２発明は、前記逆止ボール（７）が前記筆記ボール（２）よりも小径であることを特徴とする。
【００１５】
（作用）
本発明によれば、ボールペンチップ（３）の先端部分に、先端側よりも後端側の直径が小さくなっているとともに、インク（４）が通るインク通路として、段付のインク誘導孔（１０）を形成し、この段付のインク誘導孔（１０）の中に逆止ボール（７）を入れた後、当該段付のインク誘導孔（１０）の中に筆記ボール（２）を入れ、先端部分をかしめて、筆記ボール（２）の抜け止めを施すことにより、ボールペンチップ（３）の製造が行えるようになる。ここで、段付のインク誘導孔（１０）の加工作業や、逆止ボール（７）及び筆記ボール（２）のボールペンチップ（３）への挿入作業に困難性が何ら生じないので、逆止弁機構を設けても、加工工程が増加せず、容易に行える作業で製造が行え、逆止弁機構を備えたボールペンの製造コストが低減されるようになる。
【００１６】
（第３発明）
（特徴点）
本発明の第３発明は、上記した第１又は第２発明の特徴点に加え、次の点を特徴とする。
すなわち、第３発明は、前記逆止ボール（７）の縦ガタが、前記筆記ボール（２）の縦ガタよりも大きいことを特徴とする。
【００１７】
（作用）
ボールペンチップ（３）の内部には、逆止ボール（７）に開閉される弁ポートが設けられ、逆止ボール（７）が縦ガタにより弁ポートから遠のくと、弁ポートが開放される。本発明によれば、逆止ボール（７）の縦ガタを充分大きく設定することができ、弁ポートが開放量を充分確保できるので、筆記にあたり、筆記ボールに供給されるインクの量が不足せず、インク不足によるカスレの発生が未然に防止される。一方、ボールペンチップ（３）の先端部分に設けられる筆記ボール（２）の縦ガタは、逆止ボール（７）の縦ガタよりも小さければよいので、スムースな筆記が行えるように設定でき、これにより、カスレがなくスムースな筆記が行えるようになる。
【００１８】
（第４発明）
（特徴点）
本発明の第４発明は、上記した第１から第３までのいずれかの発明の特徴点に加え、次の点を特徴とする。
すなわち、第４発明は、前記逆止ボール（７）の横ガタが、前記筆記ボール（２）の横ガタよりも大きいことを特徴とする。
【００１９】
（作用）
ボールペンチップ（３）の内部においては、ボールペンチップ（３）の内周面と逆止ボール（７）との間の隙間を通って、インク（４）が筆記ボール（２）に供給され、逆止ボール（７）の横ガタが充分確保されると、インク（４）が通る隙間の幅寸法も充分確保される。本発明によれば、逆止ボール（７）の横ガタを充分大きく設定することができ、インク（４）が通る隙間の幅寸法も充分確保できるので、筆記にあたり、筆記ボール（２）に供給されるインク（４）の量が不足せず、インク不足によるカスレの発生が未然に防止される。一方、ボールペンチップ（３）の先端部分に設けられる筆記ボール（２）の横ガタは、逆止ボール（７）の横ガタよりも小さければよいので、スムースな筆記が行えるように設定でき、これによっても、カスレがなくスムースな筆記が行えるようになる。
【００２０】
（第５発明）
（特徴点）
本発明の第５発明は、上記した第１から第４までのいずれかの発明の特徴点に加え、次の点を特徴とする。
すなわち、本発明の第５発明は、インク（４）を前記筆記ボール（２）に誘導するためのインク誘導孔（１０）と、このインク誘導孔（１０）の内周面を切削することにより形成されたチャンネル（１３）と、前記チャンネル（１３）を切削した際に生じたチャンネルバリ（３４）を削除した後の痕跡である凸部（２４）及び凹部（２５）とが形成され、前記凸部（２４）が前記逆止ボール（７）の表面に接触することにより、前記逆止ボール（７）の表面と前記凹部（２５）との間にインク溜まりとなる空間が設けられていることを特徴とする。
【００２１】
（作用）
逆止ボール（７）の直径よりもインク誘導孔（１０）の内径を一回り以上大きく設定し、インク誘導孔（１０）の内周面と逆止ボール（７）との間の隙間を充分大きくとれば、通常筆記時においてカスレの発生を防止するのに充分な量のインク（４）を、当該隙間に溜めることができるが、これでは、逆止ボール（７）の横ガタが過度に大きくなることがある。本発明によれば、インク誘導孔（１０）の内周面に、チャンネルバリ（３４）を削除した後の痕跡である凸部（２４）及び凹部（２５）を形成し、逆止ボール（７）の表面と凹部（２５）との間に空間が形成されるようにしたので、この空間に、通常筆記時においてカスレの発生を防止するのに充分な量のインクを溜めることができる。その上、凸部（２４）が逆止ボール（７）の表面に接触するので、必要以上に大きな横ガタの発生を防止できる。これにより、必要な量のインク（４）を溜めることができるインク溜まりを確保できるうえ、逆止ボール（７）の横ガタ量を最適なものにすることができる。
【００２２】
（第６発明）
（特徴点）
本発明の第６発明は、上記した第１から第５までのいずれかの発明におけるボールペンチップ（３）を備えたボールペンであって、次の点を特徴とする。
すなわち、第６発明は、ゲルインク（４）を収納しているインク収納管（５）を備えていることを特徴とする。
【００２３】
（作用）
本発明によれば、内部に空気が入っても、内部に溜まる空気の体積が僅かなものとなり、僅かな体積の空気溜まりは速やかに解消されるので、筆記が再開されるまでの復帰時間が短く、速やかに通常の筆記が行えるようになる。このため、ゲルインクボールペンにおいて顕著であった衝撃カスレによる不具合は最低限に抑えられ、ゲルインクボールペンの使い勝手が向上されるようになる。
【００２４】
（第７発明）
（特徴点）
第７発明は、上記した請求項１から５までのいずれかの発明におけるボールペンチップ（３）を製造するにあたり、その製造に利用できる、ボールペンチップ（３）の製造方法であって、次の点を特徴とする。
すなわち、第７発明は、インク（４）を誘導するためのインク誘導孔（１０）を切削する工程と、前記インク誘導孔（１０）の内周面にチャンネル（１３）を切削する工程と、前記チャンネル（１３）を切削した際に生じたチャンネルバリ（３４）を除去する工程と、前記インク誘導孔（１０）の内部に、逆止ボール（７）及び筆記ボール（２）を入れる工程とを備えていることを特徴とする。
【００２５】
（作用）
本発明によれば、インク誘導孔（１０）の切削工程、チャンネル（１３）の切削工程、チャンネルバリ（３４）の除去工程、並びに、逆止ボール（７）及び筆記ボール（２）の挿入工程を順次行うことにより、製造工程において困難性が何ら生じることがなく、逆止弁機構を設けても、加工工程が複雑化せずに簡単に行え、逆止弁機構を備えたボールペンの製造が容易となり、その製造コストが低減されるようになる。
【００２６】
【発明の実施の形態】
本発明の実施の形態を図面に基づき説明する。
図１乃至図５には、本発明の第１実施形態が示されている。図１は本実施形態に係るボールペンのリフィール全体を示す斜視図、図２は前記リフィールの要部を示す拡大断面図、図３は図２のＩＩＩ−ＩＩＩ線における断面図、図４は本実施形態の通常筆記時における作用を説明するための図、図５は本実施形態の上向き筆記時における作用を説明するための図、図６乃至図１４は本実施形態に係るボールペンチップの製造手順における各工程を説明するための断面図である。
【００２７】
本実施形態に係るボールペンは、ゲルインクで筆記を行うためのリフィール１を有している。このリフィール１は、図１に示すように、先端に筆記ボール２が回転自在に設けられたボールペンチップ３と、ゲルインク４を内部に収納しているインク収納管５と、互いに直径の異なるボールペンチップ３及びインク収納管５を相互に連結している継手部材６とを備えたものである。なお、ボールペンは、ボールペンの使用者が把持するペン軸として、図示しない筒状のペン軸を有し、このペン軸の内部にリフィール１を収納したものである。また、インク収納管５の内部には、ゲルインク４の他に、ゲルインク４の逆流を抑制するために、ゲルインク４の後端を封鎖するフォロアー４Ａが収納されている。インク収納管５及び継手部材６は、合成樹脂製のものが採用されている。
ここで、継手部材６は、ボールペンチップ３及びインク収納管５の両方と水密嵌合している。
また、フォロアー４Ａは、ゲルインク４の消耗と共にゲルインク４に追随するグリース状のものである。このフォロアー４Ａは、ゲルインク４と相溶性が無く、且つゲルインク４の蒸発を防止する性能を有している。そして、必要に応じてフォロアー４Ａ内にフォロアー４Ａと略同等の比重を有する、図示しない樹脂製のフォロアー棒が浸漬される。尚、フォロアー４Ａは、例えば、シリコンゴム等の追従体とすることも可能である。
【００２８】
ボールペンチップ３は、前述の筆記ボール２の他に、ゲルインク４が筆記ボール２側からインク収納管５側へ逆流しないようにするための逆止ボール７と、筆記ボール２及び逆止ボールを回転自在に支持するホルダー８とを備えている。このうち、筆記ボール２と逆止ボール７とは、若干の隙間をおいて近接配置されている。また、逆止ボール７は、筆記ボール２よりも若干小径となっている。ホルダー８は、リフィール１の長手方向に延びる筒状の部品である。ホルダー８には、その長手方向に延びるとともに、全体を貫通するインク誘導孔１０が形成されている。そして、ホルダー８の先端部８Ａは、先細りとなった円錐状に形成されている。また、ホルダー８の中間部分には、それよりも後端側が縮径された段付部８Ｂが形成されている。
【００２９】
インク誘導孔１０は、ゲルインク４を筆記ボール２に誘導するものであり、ホルダー８の後端から先端部８Ａの近傍の部分まで細長く延び、先端部８Ａの内部においては、内径が変化した、凹凸のある内周面を備えている。すなわち、インク誘導孔１０の先端部８Ａにおける部分には、図２及び図３に示すように、筆記ボール２を回転自在に収納する筆記ボール室であるボールハウス１１と、逆止ボール７を収納するとともに、ボールハウス１１よりも縮径された逆止ボール室１２と、逆止ボール室１２の内周面を凹ませた複数の溝であって、ホルダー８の中心軸に対して放射状に配列された放射状溝１３と、ホルダー８の後端から先端部８Ａの近傍の部分まで延びたインク誘導路１４と、逆止ボール室１２及びインク誘導路１４の境界部分を縮径した絞り部１５とが設けられている。
【００３０】
ボールハウス１１は、ホルダー８の先端部分に、筆記ボール２を一部露出させる開口部２０を有している。開口部２０の周辺に配置されたホルダー８の側壁は、筆記ボール２がボールハウス１１から抜け出さないように、筆記ボール２側にかしめられているカシメ部２１となっている。また、ボールハウス１１には、逆止ボール室１２との境界部分に沿って環状段付部２２が形成されている。この環状段付部２２の内側の端縁には、筆記ボール２を受ける受座部２３が形成されている。なお、ボールハウス１１は、筆記ボール２の縦方向及び横方向のガタツキを僅かに許容する大きさの空間となっている。
【００３１】
逆止ボール室１２は、逆止ボール７の縦方向及び横方向のガタツキを許容する大きさの空間である。逆止ボール室１２における逆止ボール７の縦方向のガタツキは、ボールハウス１１における筆記ボール２の縦方向のガタツキよりも大きくなっている。また、逆止ボール室１２における逆止ボール７の横方向のガタツキは、ボールハウス１１における筆記ボール２の横方向のガタツキよりも大きくなっている。そして、逆止ボール室１２における逆止ボール７の縦方向のガタツキは、横方向のガタツキよりも大きくなっている。尚、逆止ボール７は、筆記時、筆記ボール２に接する位置まで移動する。
【００３２】
放射状溝１３は、インク誘導孔１０の一部である逆止ボール室１２の内周面を切削することにより形成されたチャンネルであり、ホルダー８の軸方向に延びるものとなっている。放射状溝１３の絞り部１５側の端部は、逆止ボール室１２の内周面における中間部分に配置されている。放射状溝１３の筆記ボール２側の端部は、ボールハウス１１の内部に開口されている。
【００３３】
ここで、インク誘導孔１０の一部である逆止ボール室１２の内周面には、放射状溝１３を切削した際に生じたチャンネルバリを削除した後の痕跡である凸部２４及び凹部２５とが形成されている。そして、凸部２４が逆止ボール７の表面に接触することにより、逆止ボール７の表面と凹部２５との間にインク溜まりとなる空間が設けられている。
【００３４】
絞り部１５には、逆止ボール室１２の内部に臨む環状段付面２６を有している。この環状段付面２６の内側の端縁には、逆止ボール７を受ける受座部２７が形成されている。ここにおいて、逆止ボール７は、ボールペンのペン先を上に向けると、受座部２７に着座し、絞り部１５の開口を閉鎖するようになっている。これら逆止ボール７及び絞り部１５により、逆止弁機構が形成されている。そして、この逆止弁機構により、上向き筆記時において、ボールハウス１１に誘導されたゲルインク４がインク誘導路１４側へ逆流することが防止されるようになっている。
【００３５】
このようなボールペンチップ３において、ホルダー８の材質としては、切削でホルダー８を製造する場合、ステンレス、洋白、黄銅等の金属材料が選択でき、射出成形で製造する場合は、ポリエチレン樹脂やポリプロピレン樹脂等の熱可塑性樹脂材料が採用できるが、耐久性等の観点から、ホルダー８は、金属材料を採用し、切削で製造することが好ましい。
また、筆記ボール２の直径は、０．４ｍｍ〜１．２ｍｍ、好ましくは、０．４ｍｍ〜０．７ｍｍの範囲に設定することができる。筆記ボール２の材質としては、超硬合金及びステンレス等の金属材料、並びに、セラミック等の焼結材料が採用できる。
【００３６】
逆止ボール７の直径は、筆記ボール２と同程度に設定できるが、筆記ボール２よりも若干小径に設定するのが好ましい。例えば、０．３１ｍｍ〜０．５ｍｍ、好ましくは、０．３１ｍｍ〜０．３８ｍｍの範囲に設定することができる。このように、逆止ボール７の直径が、０．３１ｍｍ〜０．３８ｍｍの範囲に設定された場合、逆止ボール室１２の内径は、０．３５ｍｍ〜０．４２ｍｍの範囲に設定することができる。
また、逆止ボール７の材質としては、超硬合金及びステンレス等の金属材料、セラミック等の焼結材料、並びに、ポリエチレン樹脂やポリプロピレン樹脂等の熱可塑性樹脂材料が採用できる。
【００３７】
カシメ部２１および筆記ボール２のクリアランスＣ（図２参照）は、ゲルインク４の吐出量が充分確保できるように設定される。ゲルインク４が通常のゲルインクである場合、クリアランスＣは、１０〜５０μｍの範囲に設定するのが好ましい。一方、ゲルインク４が顔料として粗大粒子を含むゲルインクである場合、クリアランスＣは、５０〜１５０μｍの範囲に設定するのが好ましい。
【００３８】
次に、本実施形態のボールペンチップ３の筆記動作について説明する。
ペン先が下向きとなった通常筆記時には、図４に示すように、逆止ボール室１２内の逆止ボール７が筆記ボール２側へ移動し、受座部２７から離れる。これにより、絞り部１５が開口され、インク誘導路１４まで誘導されてきたゲルインク４は、絞り部１５を通り抜ける。そして、ゲルインク４は、逆止ボール室１２及び逆止ボール７の隙間及び放射状溝１３を順次通って、ボールハウス１１内の筆記ボール２まで到達し、筆記ボール２の回転に伴って紙面Ｐに転写される。これにより、文字等を表す線が描かれることとなる。
【００３９】
ペン先が上向きとなった上向き筆記時には、図５に示すように、逆止ボール室１２内の逆止ボール７が絞り部１５側へ移動し、受座部２７に着座する。これにより、絞り部１５が閉鎖され、ボールハウス１１まで誘導されてきたゲルインク４は、絞り部１５を通り抜けることができない。これにより、ペン先が上向きとなっても、ゲルインク４が逆流することがない。また、ゲルインク４の逆流が防止されることから、ボールハウス１１の内部に大容積の空気が溜まることがないので、空気が進入しても、通常筆記に短時間で復帰でき、復帰時間が短くなる。
【００４０】
以下に、本実施形態のボールペンチップ３の製作手順について説明する。
まず、切削加工等により、図６に示すように、棒状の母材をボールペンチップ３の外形形状に加工して、ボールペンチップ３のホルダー８となる中間加工物３０を作製する。この後、ボール盤等の穿孔加工機械により、中間加工物３０に、その中心軸に沿って延びるバック孔３１（インク誘導路１４）を形成するとともに、図７にも示すように、中間加工物３０のペン先側の端面に、その中心点を案内するセンター穴３２を形成する。
【００４１】
次に、ボール盤等の穿孔加工機械で中間加工物３０を切削して、図８に示すように、中間加工物３０にボールハウス１１、逆止ボール室１２及び絞り部１５を形成する。この際、ボールハウス１１、逆止ボール室１２及び絞り部１５を切削する順序は、以下のａ）〜ｄ）のいずれでもよい。
ａ）逆止ボール室１２、絞り部１５、ボールハウス１１の順で切削を行う。
ｂ）逆止ボール室１２、ボールハウス１１、絞り部１５の順で切削を行う。
ｃ）絞り部１５、逆止ボール室１２、ボールハウス１１の順で切削を行う。
ｄ）ボールハウス１１、逆止ボール室１２、絞り部１５の順で切削を行う。
【００４２】
この後、溝切り用のブローチ３３を用いて、逆止ボール室１２の内周面を切削し、図９に示すように、逆止ボール室１２の内周面に複数の放射状溝１３を形成する。この際、ブローチ３３で放射状溝１３を切削すると、逆止ボール室１２の内周面には、放射状溝１３のインク誘導路１４側の部分にチャンネルバリ３４が生じる。
放射状溝１３の形成を完了した後、仕上げ用のブローチ３５を用いて、チャンネルバリ３４を削除する。この際、チャンネルバリ３４を完全に削除せず、図１０に示すように、逆止ボール室１２の内周面にチャンネルバリ３４の痕跡が一部残るように削除を行い、削除後の痕跡である凸部２４及び凹部２５を形成する。
【００４３】
続いて、図１１に示すように、逆止ボール室１２の内部に逆止ボール７を入れ、この後、図１２に示すように、ボールハウス１１の内部に筆記ボール２を入れ、ホルダー８の内部において、逆止ボール７と筆記ボール２とを若干の隙間をおいて近接配置する。
【００４４】
次いで、開口部２０の周辺に配置されたホルダー８の側壁を筆記ボール２に向かってかしめ、図１３に示すように、筆記ボール２をボールハウス１１から抜け出さないようにするカシメ部２１を形成する。
【００４５】
カシメ部２１の形成の後、プレス装置等に駆動されるハンマー３６により、ボールハウス１１内に収納された筆記ボール２をたたく。これにより、図１４に示すように、筆記ボール２とカシメ部２１との間に、所定寸法のクリアランスＣを形成するとともに、ボールハウス１１に筆記ボール２を受ける受座部２３を形成する。以上により、ボールペンチップ３の製作が完了する。
【００４６】
前述のような本実施形態によれば、次のような効果が得られる。
すなわち、ホルダー８の内部に、筆記ボール２と逆止ボール７とを、若干の隙間をおいて近接配置したので、筆記ボール２と逆止ボール７との間には、僅かな空間しか形成されず、空気がカシメ部２１から内部に進入しても、内部に溜まる空気の体積は僅かなものとなる。このため、上向き筆記や衝撃等により、内部に空気が入っても、僅かな体積の空気溜まりは速やかに解消されるので、筆記が再開されるまでの復帰時間を短くでき、速やかに通常の筆記を再開できる。
【００４７】
また、筆記ボール２及び逆止ボール７の両方をボールペンチップ３の先端側に設け、且つ、両方ともボールハウス１１側からホルダー８内に収納するようにしたので、当該ボールペンチップ３を製造するにあたり、逆止ボール７をボールペンチップ３に取り付けて逆止弁機構を形成する作業と、筆記ボール２をボールペンチップ３に取り付ける作業とを、速やかに連続する一連の作業として行え、且つ、これらの作業を行う際に、ボールペンチップ３を引っ繰り返す必要がない。このため、逆止弁機構を設けても、加工工程が増加せず、単純な作業工程で製造が行え、逆止弁機構を備えたボールペンの製造コストを低減できる。
【００４８】
さらに、筆記ボール２よりも逆止ボール７を小径とし、且つ、ボールハウス１１の後端側に、ボールハウス１１よりも直径が小さい逆止ボール室１２を設けたので、この逆止ボール室１２の中に逆止ボール７を入れた後、ボールハウス１１の中に筆記ボール２を入れ、先端部分をかしめて、筆記ボール２の抜け止めを施すことにより、ボールペンチップ３を容易に製造することができる。ここで、逆止ボール室１２の加工作業や、逆止ボール７及び筆記ボール２のボールペンチップ３への収納作業に何ら困難性が生じないので、逆止弁機構を設けても、加工工程が増加せず、容易に行える作業で製造が行え、この点からも、逆止弁機構を備えたボールペンの製造コストを低減することができる。
【００４９】
また、逆止ボール７の縦ガタを、筆記ボール２の縦ガタよりも大きくし、逆止弁機構に設けられる弁ポートである絞り部１５の開放量を充分確保したので、筆記にあたり、筆記ボール２に供給されるインクの量が不足せず、インク不足によるカスレの発生を未然に防止できる。一方、ボールペンチップ３の先端部分に設けられる筆記ボール２の縦ガタは、逆止ボール７の縦ガタよりも充分小さくし、スムースな筆記が行えるように設定することができ、これにより、カスレがなくスムースな筆記を行うことができる。
【００５０】
さらに、逆止ボール７の横ガタを、筆記ボール２の横ガタよりも大きくし、筆記時に逆止ボール室１２の内周面と逆止ボール７との間の隙間の幅寸法を充分確保したので、筆記ボール２に供給されるインクの量が不足せず、インク不足によるカスレの発生を未然に防止できる。一方、ボールペンチップ３の先端部分に設けられる筆記ボール２の横ガタは、逆止ボール７の横ガタよりも充分小さくし、スムースな筆記が行えるように設定することができ、これによっても、カスレがなくスムースな筆記を行うことができる。
【００５１】
また、逆止ボール室１２の内周面に、チャンネルバリ３４を削除した後の痕跡である凸部２４及び凹部２５を形成し、逆止ボール７の表面と凹部２５との間に空間が形成されるようにしたので、この空間に、通常筆記時においてカスレの発生を防止するのに充分な量のゲルインク４を溜めることができる。その上、凸部２４が逆止ボール７の表面に接触するので、必要以上に大きな横ガタの発生を防止できる。これにより、必要量のゲルインク４を溜めることができるインク溜まりを確保することができるうえ、逆止ボール７の横ガタ量を最適化することができる。
【００５２】
さらに、ゲルインク４で筆記を行うゲルインクボールペンのボールペンチップ３に、逆止ボール７及び絞り部１５等を含んで構成される逆止弁機構を設け、内部に空気が入っても、内部に溜まる空気の体積を僅かなものとし、空気溜まりを速やかに解消するようにしたので、筆記が再開されるまでの復帰時間が短くなり、速やかに通常の筆記を行うことができる。このため、ゲルインクボールペンにおいて顕著であった衝撃カスレによる不具合は最低限に抑えられ、ゲルインクボールペン、特に、筆記ボール２の直径が７ｍｍ以上のゲルインクボールペンの使い勝手を向上することができる。
【００５３】
また、インク誘導孔１０となるボールハウス１１、逆止ボール室１２及びインク誘導路１４を切削する切削工程、放射状溝１３を切削する切削工程、チャンネルバリ３４を除去する除去工程、並びに、逆止ボール７及び筆記ボール２をホルダー８内に挿入する挿入工程を順次行い、製造工程において困難性が何ら生じないようにしたので、逆止弁機構を設けても、加工工程が複雑化せずに簡単に行え、逆止弁機構を備えたボールペンを容易に製造することができ、その製造コストを低減することができる。
【００５４】
図１５及び図１６には、本発明の第２実施形態が示されている。図１５は本第２実施形態に係るリフィールの要部を示す拡大断面図、図１６は図１５のＸＶＩ−ＸＶＩ線における断面図である。
本第２実施形態は、前記第１実施形態における筆記ボール２よりも小径の逆止ボール７を、筆記ボール２と同じ大きさの逆止ボール７Ａとしたものである。
【００５５】
すなわち、本第２実施形態に係るリフィール１は、前記第１実施形態と同様に、ゲルインク４で筆記を行うためのものであり、その先端部分にボールペンチップ３Ａを有している。ボールペンチップ３Ａは、図１５に示すように、互いに同じ寸法の直径を有する筆記ボール２及び逆止ボール７Ａと、その先端部１８Ａ　の内部に筆記ボール２及び逆止ボール７Ａを収納しているホルダー１８とを備えている。なお、図１５において、筆記ボール２の直径Ｄ１と、逆止ボール７Ａの直径Ｄ２とが等しいものとなっている。
【００５６】
ホルダー１８は、前記第１実施形態のホルダー８と同様に、その長手方向に延びて、当該ホルダー１８を貫通するインク誘導孔１０Ａ　を有している。このインク誘導孔１０Ａ　は、ホルダー１８の先端部１８Ａ　の内部における部分の内径が変化した、凹凸のある内周面を備えている。具体的には、インク誘導孔１０Ａ　の先端部１８Ａ　における部分には、筆記ボール２を収納するボールハウス１１Ａ　と、逆止ボール７を収納する逆止ボール室１２Ａ　と、ホルダー１８の後端から先端部１８Ａ　の近傍の部分まで延びたインク誘導路１４と、逆止ボール室１２Ａ　及びインク誘導路１４の境界部分を縮径した絞り部１５とが設けられている。
【００５７】
この際、逆止ボール室１２は、その内径Ｄ３が逆止ボール７の直径Ｄ２よりも一回り大きくされている。これにより、逆止ボール室１２の内周面と逆止ボール７の表面との間に充分広い隙間が形成され、この隙間を通じて充分な量のゲルインク４が流通するようになっている。そして、逆止ボール室１２の内周面からは、前記第１実施形態における放射状溝１３が省略されている。
【００５８】
また、逆止ボール室１２の内径Ｄ３は、ボールハウス１１Ａ　の内径Ｄ４にほぼ等しい大きさとなっている。ホルダー１８の側壁のうち、逆止ボール室１２とボールハウス１１Ａ　との境界となる境界部分は、部分的にカシメられている。これにより、当該環状部分には、図１５及び図１６に示すように、ホルダー１８の側壁の内周面から内側に突出するとともに先細りとなった円錐状の受部１９が形成されている。受部１９の先端部分には、筆記ボール２を受ける受座部１９Ａ　が形成されている。
【００５９】
このような本第２実施形態においても、前記第１実施形態と同様な作用、効果を奏することができる他、次のような効果を付加できる。
すなわち、筆記ボール２と同じ大きさの逆止ボール７Ａを採用したので、筆記ボール２及び逆止ボール７Ａを同じ部品とすることができ、部品の種類が低減され、ボールペンを大量生産する場合、製造コストを大幅に軽減することができる。
【００６０】
【実施例】
次に、本発明の効果を具体的な実施例に基づいて説明する。
［実施例１］
本実施例１は、前記第１実施形態に基づいたボールペン１を用いて行う実験である。本実施例１のボールペン１は、市販のボールペン（三菱鉛筆株式会社製、型番ＵＭ−１５１）のボールペンチップを、図１７に示すように、筆記ボール２とともに逆止ボール７を備えたボールペンチップ３に換装したものである。
このボールペン１は、以下に示す仕様を有するものである。なお、図１７において、逆止ボール室１２の内周面に形成されている凸部２４は、図示が省略されている。
【００６１】
（ボールペン１の仕様）
（ａ）　各部の寸法（図１７参照）
ボールペンチップ３の絞り部の内径Ｄ１：０．３０ｍｍ
逆止ボール７の直径Ｄ２　　　　　　　：０．３８ｍｍ
逆止ボール室１２の内径Ｄ３　　　　　　：０．４２ｍｍ
ボールハウス１１の内径Ｄ４：　　　　　：０．７２ｍｍ
筆記ボール２の直径Ｄ５　　　　　　　：０．７０ｍｍ
筆記ボール２の突出寸法Ｐ１　　　　　：０．２１ｍｍ
（ボールペンチップ３先端からの突出量）
放射状溝の幅Ｗ１　　　　　　　　　　：０．１２ｍｍ
【００６２】
（ｂ）　各部の材質
ボールペンチップ３のホルダー８：フェライト系ステンレス鋼ＳＵＳ４３０
筆記ボール２及び逆止ボール７　　：超硬合金ボール
継手部材６　　　　　　：ポリプロピレン又はポリアセタール等の合成樹脂
インク収納管５　　　　：ポリプロピレン等の合成樹脂
【００６３】
（ｃ）　ゲルインク４の組成等
粘度特性：摂氏２５度、剪断速度３８．４ｓｅｃ−１における粘度が１００ｍＰａ・ｓｅｃ
組成　　：カーボンブラック７．０重量％、スチレンアクリル酸樹脂アンモニウム基３．０重量％、エチレングリコール２０．０重量％、カリセッケン（潤滑剤）０．４重量％、ナトリウムオマジン（防腐剤）０．２重量％、アミノメチルプロパノール（ｐＨ調整剤）０．３重量％、ベンゾトリアゾール（防錆剤）０．２重量％、ポリアクリル塩酸（アクリル系合成高分子）０．１重量％、イオン交換水
【００６４】
［比較例１］
本比較例１は、前記実施例１のボールペン１から逆止ボール７を省略したボールペン６０を用いて行う実験である。
すなわち、本比較例１のボールペン６０は、図１８に示すように、そのボールペンチップ６１の内部から逆止ボール７が省略されている点、並びに、ボールペンチップ６１のホルダー６２から絞り部１５及び凸部２４が省略されている点以外は、前記実施例１のボールペン１と同一のものである。
【００６５】
［比較例２］
本比較例２は、前記実施例１において近接配置された筆記ボール２と逆止ボール７との距離を著しく拡大したボールペン７０を用いて行う実験である。
本比較例２のボールペン７０は、図１９に示すように、前記比較例１における継手部材６の替わりに、内周面に絞り部７１が形成されるとともに、内部に逆止ボール７２を収納するようにした継手部材７３を設けた点以外は、前記比較例１のボールペン６０と同一のものである。
更に具体的に説明すると、継手部材７３が有する絞り部７１は、継手部材７３の長手方向における中間位置に配置されるとともに、継手部材７３の内周面から内側に突出している。このような絞り部７１とボールペンチップ６１の端部との間に、逆止ボール７２が配置されている。これにより、ボールペン７０のペン先を上に向けると、逆止ボール７２が絞り部７１を閉鎖し、内部のゲルインク４の著しい逆流が防止されるようになっている。
【００６６】
〔実験方法〕
前述の実施例１及び比較例１，２について、その評価を行う実験として、以下の（１）　〜（３）　に記載する試験を行う。なお、実施例１及び比較例１，２の各々について、５個のサンプルを用意し、これら５個のサンプルのそれぞれに対して、以下の（１）　〜（３）　の試験を行う。
（１）　逆流試験
ペン先を上に向けた状態で、直径２０〜２５ｍｍの円をフリーハンドで描く逆向き描線動作を開始し、描線が途切れてから１０〜１５周の円を描いた後、逆向き描線動作を完了する。ここで、本逆流試験の逆向き描線動作における筆記速度は、３〜５周／秒で行う。そして、ペン先を上に向けた状態を維持したまま、ボールペンを放置し、逆向き描線動作の完了から３０秒が経過するまでの間に、インク収納管５の後端からゲルインク４が漏れないか否かを目視により判定する。
【００６７】
（２）　逆流復帰試験
ペン先を上に向けた状態で、直径２０〜２５ｍｍの円をフリーハンドで描く逆向き描線動作を開始し、描線が途切れてから３〜５周の円を描いた後、逆向き描線動作を完了する。ここで、本逆流試験の逆向き描線動作における筆記速度は、３〜５周／秒で行う。逆向き描線動作を完了したら、直ちに、ペン先を下に向け、この状態で、直径２０〜２５ｍｍの円をフリーハンドで描く順向き描線動作を開始する。ここで、本逆流復帰試験の順向き描線動作における筆記速度は、３〜５周／秒で行う。そして、ペン先を下に向けてから通常の描線が描かれるまでの間に生じたカスレ線の長さを測定する。
【００６８】
（３）　衝撃カスレ試験
ペン先とは反対の端部である後端部を上にするとともに、この後端部の高さレベルがガラス板から６０〜８０ｃｍとなるように、ボールペンをガラス板上方の所定位置に配置し、この所定位置から３回、ボールペンを落下させる。３回の落下の後、直ちに、ペン先を下に向け、この状態で、直径２０〜２５ｍｍの円をフリーハンドで描く順向き描線動作を開始する。ここで、本衝撃カスレ試験の順向き描線動作における筆記速度は、３〜５周／秒で行う。そして、順向き描線動作を開始してから通常の描線が描かれるまでの間に生じたカスレ線の長さを測定する。
【００６９】
〔実験結果〕
表１に、前述の逆流試験、逆流復帰試験及び衝撃カスレ試験の実験結果を示す。
【００７０】
【表１】
2004136621.tif 000003
【００７１】
以上のような試験結果から、本発明に基づく実施例１によれば、ゲルインク４の逆流は僅かなものとなり、インク収納管５の後端からゲルインク４の漏れを防止できることが判る。また、逆向き描線動作により描線が途切れても、順向き描線動作に移行すれば、速やかに通常の描線を開始できることが判る。さらに、衝撃を加えても、衝撃により著しいカスレの発生を抑制できることが判る。
【００７２】
なお、本発明は、前記実施形態に限定されるものではなく、本発明の目的を達成できる範囲において、その変形及び改良をも含むものである。
すなわち、ボールペンとしては、ゲルインクで筆記を行うものに限らず、油性インクで筆記を行う油性ボールペン又は水性インクで筆記を行う水性ボールペンでもよい。
また、図２０に示すように、油性インク４Ｂを内部に収納するインク収納管５Ａが比較的細身となる場合、ボールペンチップ３と直接連結できるので、ボールペンチップ３との連結に、直径が著しく異なる部材同士を連結するための継手部材６が不要となり、リフィール１Ａとしては、インク収納管５Ａとボールペンチップ３とを直接連結したものが採用できる。同様に、ゲルインクあるいは水性インク内部に収納するインク収納管が比較的細身となる場合にも、インク収納管とボールペンチップとが直接連結できるので、リフィールとしては、インク収納管とボールペンチップとを直接連結したものが採用できる。
【００７３】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、筆記ボールと逆止ボールとを、若干の隙間をおいて近接配置したので、筆記ボールと逆止ボールとの間には、僅かな空間しか形成されず、空気がカシメ部から内部に進入しても、内部に溜まる空気の体積は僅かなものとなる。このため、上向き筆記や衝撃等により、内部に空気が入っても、僅かな体積の空気溜まりは速やかに解消されるので、筆記が再開されるまでの復帰時間が短くなり、速やかに通常の筆記に復帰できる。
【００７４】
また、筆記ボール及び逆止ボールの両方をボールペンチップの先端側に設けたので、当該ボールペンを製造するにあたり、逆止ボールを取り付けて逆止弁機構を形成する作業と、筆記ボールを取り付ける作業とを、速やかに連続する一連の作業として行え、且つ、これらの作業を行う際に、ボールペンチップを引っ繰り返す必要がない。このため、逆止弁機構を設けても、加工工程が増加せず、単純な作業工程で製造が行え、逆止弁機構を備えたボールペンの製造コストを低減することができる。
【００７５】
（請求項２の効果）
請求項２記載の発明によれば、上記した請求項１記載の発明の効果に加え、次のような効果を奏する。
すなわち、請求項２記載の発明によれば、逆止ボールとして、筆記ボールよりも小径のものを採用したので、ボールペンチップの先端部分に、先端側よりも後端側の直径が小さくなっているとともに、インクが通るインク通路として、段付のインク誘導孔を形成し、この段付のインク誘導孔の中に逆止ボールを入れた後、当該段付のインク誘導孔の中に筆記ボールを入れ、先端部分をかしめて、筆記ボールの抜け止めを施すことで、ボールペンチップを容易に製造できる。ここで、段付のインク誘導孔の加工作業や、逆止ボール及び筆記ボールのボールペンチップへの挿入作業に困難性が何ら生じないので、逆止弁機構を設けても、加工工程が増加せず、容易に行える作業で製造が行え、逆止弁機構を備えたボールペンの製造コストを低減することができる。
【００７６】
（請求項３の効果）
請求項３記載の発明によれば、上記した請求項１又は２記載の発明の効果に加え、次のような効果を奏する。
すなわち、請求項３記載の発明によれば、逆止ボールの縦ガタを充分大きく設定することができ、弁ポートが開放量を充分確保できるので、筆記にあたり、筆記ボールに供給されるインクの量が不足せず、インク不足によるカスレの発生が未然に防止される。一方、ボールペンチップの先端部分に設けられる筆記ボールの縦ガタは、逆止ボールの縦ガタよりも小さければよいので、スムースな筆記が行えるように設定でき、これにより、カスレがなくスムースな筆記を行うことができる。
【００７７】
（請求項４の効果）
請求項４記載の発明によれば、上記した請求項１から３までのいずれかに記載の発明の効果に加え、次のような効果を奏する。
すなわち、請求項４記載の発明によれば、逆止ボールの横ガタを充分大きく設定することができ、インクが通る隙間の幅寸法も充分確保できるので、筆記にあたり、筆記ボールに供給されるインクの量が不足せず、インク不足によるカスレの発生が未然に防止される。一方、ボールペンチップの先端部分に設けられる筆記ボールの横ガタは、逆止ボールの横ガタよりも小さければよいので、スムースな筆記が行えるように設定でき、これによっても、カスレがなくスムースな筆記を行うことができる。
【００７８】
（請求項５の効果）
請求項５記載の発明によれば、上記した請求項１から３までのいずれかに記載の発明の効果に加え、次のような効果を奏する。
すなわち、請求項５記載の発明によれば、インク誘導孔の内周面に、チャンネルバリを削除した後の痕跡である凸部及び凹部を形成し、逆止ボールの表面と凹部との間に空間が形成されるようにしたので、この空間に、通常筆記時においてカスレの発生を防止するのに充分な量のインクを溜めることができる。その上、凸部が逆止ボールの表面に接触するので、必要以上に大きな横ガタの発生を防止できる。これにより、必要な量のインクを溜めることができるインク溜まりを確保できるうえ、逆止ボールの横ガタ量を最適なものにすることができる。
【００７９】
（請求項６の効果）
請求項６記載の発明によれば、次のような効果を奏する。
すなわち、請求項６記載の発明によれば、内部に空気が入っても、内部に溜まる空気の体積が僅かなものとなり、僅かな体積の空気溜まりは速やかに解消されるので、筆記が再開されるまでの復帰時間が短く、速やかに通常の筆記が行えるようになる。このため、ゲルインクボールペンにおいて顕著であった衝撃カスレによる不具合は最低限に抑えられ、ゲルインクボールペンの使い勝手を向上することができる。
【００８０】
（請求項７の効果）
請求項７記載の発明によれば、次のような効果を奏する。
すなわち、請求項７記載の発明によれば、インク誘導孔の切削工程、チャンネルの切削工程、チャンネルバリの除去工程、並びに、逆止ボール及び筆記ボールの挿入工程を順次行うことにより、製造工程において困難性が何ら生じることがなく、逆止弁機構を設けても、加工工程が複雑化せずに簡単に行え、逆止弁機構を備えたボールペンの製造が容易となり、その製造コストを低減することができる。
【図面の簡単な説明】
【図１】本発明の第１実施形態に係るボールペンのリフィールを示す断面図である。
【図２】前記実施形態の要部を示す拡大断面図である。
【図３】図２のＩＩＩ−ＩＩＩ線における断面図である。
【図４】前記実施形態の通常筆記時における作用を説明するための図である。
【図５】前記実施形態の上向き筆記時における作用を説明するための図である。
【図６】前記実施形態に係るボールペンチップの製造の工程を説明するための断面図である。
【図７】図６の工程の後に行われる工程を説明するための断面図である。
【図８】図７の工程の後に行われる工程を説明するための断面図である。
【図９】図８の工程の後に行われる工程を説明するための断面図である。
【図１０】図９の工程の後に行われる工程を説明するための断面図である。
【図１１】図１０の工程の後に行われる工程を説明するための断面図である。
【図１２】図１１の工程の後に行われる工程を説明するための断面図である。
【図１３】図１２の工程の後に行われる工程を説明するための断面図である。
【図１４】図１３の工程の後に行われる工程を説明するための断面図である。
【図１５】本発明の第２実施形態に係るボールペンチップを示す断面図である。
【図１６】図１５のＸＶＩ−ＸＶＩ線における断面図である。
【図１７】本発明に基づく実施例１を示す平断面図及び縦断面図である。
【図１８】比較例１を示す平断面図及び縦断面図である。
【図１９】比較例２を示す縦断面図である。
【図２０】本発明の変形例に係るリフィールを示す断面図である。
【符号の説明】
１　リフィール　　　　　　　　　１Ａ　リフィール
２　筆記ボール　　　　　　　　　３　ボールペンチップ
３Ａ　ボールペンチップ　　　　　　４　ゲルインク
４Ａ　フォロアー　　　　　　　　　４Ｂ　油性インク
５　インク収納管　　　　　　　　５Ａ　インク収納管
６　継手部材　　　　　　　　　　７　逆止ボール
７Ａ　逆止ボール　　　　　　　　　８　ホルダー
８Ａ　先端部　　　　　　　　　　　８Ｂ　段付部
１０　インク誘導孔　　　　　　　　１０Ａ　インク誘導孔
１１　ボールハウス　　　　　　　　１１Ａ　ボールハウス
１２　逆止ボール室　　　　　　　　１２Ａ　逆止ボール室
１３　放射状溝　　　　　　　　　　１４　インク誘導路
１５　絞り部　　　　　　　　　　　１８　ホルダー
１８Ａ　先端部　　　　　　　　　　　１９　受部
１９Ａ　受座部　　　　　　　　　　　２０　開口部
２１　カシメ部　　　　　　　　　　２２　環状段付部
２３　受座部　　　　　　　　　　　２４　凸部
２５　凹部　　　　　　　　　　　　２６　環状段付面
２７　受座部　　　　　　　　　　　３０　中間加工物
３１　バック孔　　　　　　　　　　３２　センター穴
３３　ブローチ　　　　　　　　　　３４　チャンネルバリ
３５　ブローチ　　　　　　　　　　３６　ハンマー
【図１】
2004136621.tif 000004
【図２】
2004136621.tif 000005
【図３】
2004136621.tif 000006
【図４】
2004136621.tif 000007
【図５】
2004136621.tif 000008
【図６】
2004136621.tif 000009
【図７】
2004136621.tif 000010
【図８】
2004136621.tif 000011
【図９】
2004136621.tif 000012
【図１０】
2004136621.tif 000013
【図１１】
2004136621.tif 000014
【図１２】
2004136621.tif 000015
【図１３】
2004136621.tif 000016
【図１４】
2004136621.tif 000017
【図１５】
2004136621.tif 000018
【図１６】
2004136621.tif 000019
【図１７】
2004136621.tif 000020
【図１８】
2004136621.tif 000021
【図１９】
2004136621.tif 000022
【図２０】
2004136621.tif 000023